(57)【要約】【課題】  システムキッチン等に組み込む加熱調理器において、本体の上面開口部に配置されるプレート組の枠体と本体との取り付けに際して固定金具の溶接を外観部以外のところで行なうことにより、溶接痕を外部から見えないようにし、見た目を損ねることのないようにする。【解決手段】  プレート組８を構成する枠体７の下面水平部の内側面に金属製でネジ固定用の穴１５ｂを具備した固定金具１５を溶接１８し、該固定金具１５に水平部１６ａと垂直部１６ｂよりなる略Ｌ状の取付金具１６の水平部１６ａを固定ネジ１７により固定し、垂直部１６ｂを本体１の側面１ａに固定し、該本体１とプレート組８とを一体化した。【選択図】  図２
2005076897.tif 000002
【特許請求の範囲】
【請求項１】
底面、側面及び背面からなる本体（１）の上面に容器を載置するプレート（３）を備え、該プレート（３）の下方に略水平に配置された複数の加熱装置（６）を備えた加熱調理器において、前記プレート（３）とその外周に組み込まれた金属製の枠体（７）とで一体型のプレート組（８）を構成し、前記枠体（７）の下面水平部に金属製でネジ固定用の穴（１５ｂ）を具備した固定金具（１５）を溶接（１８）し、該固定金具（１５）に水平部（１６ａ）と垂直部（１６ｂ）よりなる略Ｌ状の取付金具（１６）の水平部（１６ａ）を固定ネジ（１７）により固定し、垂直部（１６ｂ）に本体（１）を固定し、該本体（１）とプレート組（８）とを一体化したことを特徴とする組み込み式加熱調理器。
【請求項２】
固定金具（１５）を枠体（７）の下面水平部の内側面に溶接（１８）して本体（１）をシステムキッチン（１３）に組み込んだ際、溶接（１８）部が隠れて見えないようにしたことを特徴とする請求項１記載の組み込み式加熱調理器。
【請求項３】
固定金具（１５）は、枠体（７）の側面（７ａ）側に補強片（１５ｃ）を設け、固定金具（１５）を枠体（７）の下面水平部に溶接（１８）した際に補強片（１５ｃ）が枠体（７）の側面（７ａ）の内側に接触するようにしたことを特徴とする請求項１及び２記載の組み込み式加熱調理器。
【発明の詳細な説明】
【技術分野】
【０００１】
本発明は、誘導加熱調理器等、台所のシステムキッチン等に組み込んで使用される組み込み式加熱調理器に関し、詳しくは本体とその本体の上面に載置されるプレート組との取り付け構造に関するものである。
【背景技術】
【０００２】
この従来例を図１、図４及び図５に従って説明する。図１は従来例および本発明の加熱調理器の外観斜視図、図４は従来例の加熱調理器の縦断面図、図５は下面から見た同分解斜視図である。
【０００３】
図１は加熱調理器がシステムキッチンに組み込まれた状態を示している。この図１において、加熱調理器の本体１の上面にプレート３が備えられ、プレート３下方の本体１内の左右に略水平に加熱装置６が配置され、本体１の左側に魚等を焼くロースター部４を備え、本体１の右側前面に加熱の設定等を行なう操作部５を備えている。被加熱物を入れる容器２は左の加熱装置６を示すプレート３上に載置されている。
【０００４】
図４及び図５において、底面、側面及び背面からなる本体１の上面にプレート３を備え、このプレート３とその外周に組み込まれた略コ字状をなす金属製の枠体７とで一体型のプレート組８を構成し、前記枠体７の傾斜した側面７ａに金属製でネジ固定用の穴９ａを下面中央部に設けた略Ｖ字形固定金具９の立ち上げ傾斜部９ｂの左右二箇所を溶接１０し、該固定金具９に水平部１１ａと垂直部１１ｂよりなる略Ｌ状の取付金具１１の水平部１１ａを固定ネジ１２により固定し、垂直部１１ｂに本体１を固定し、該本体１とプレート組８とを一体化している。
【０００５】
そして、図１に示すように、本体１はシステムキッチン１３内にその上面から落とし込まれ、プレート組８の枠体７部がシステムキッチン１３の天板の上に乗って本体１を吊るす構成となっている。
【０００６】
このような従来技術として下記に示す特許文献１がある。
【０００７】
【特許文献１】特開２００２−２７０３５３号公報
【発明の開示】
【発明が解決しようとする課題】
【０００８】
上記した従来技術において、プレート組８は、プレート３とその外周に組み込まれた略コ字状をなす金属製の枠体７とで構成されており、このプレート組８を本体１に固定する場合には、外観面である枠体７の傾斜した側面７ａに金属製の固定金具９の立ち上げ傾斜部９ｂの左右二箇所を溶接１０し、該固定金具９に本体固定用の取付金具１１の水平部１１ａを固定ネジ１２により固定しているため、プレート組８と固定金具９との強度は充分であるが枠体７の外観面である傾斜した側面７ａ部に溶接痕が残ってしまい、見た目を損ねるものであった。
【０００９】
また、昨今、枠体７のステンレス化が多くなってきており、このステンレスの場合には溶接痕を隠すため磨き仕上げを施したり、シールを貼って目隠ししているものであり、コストアップとなったり、シールに違和感を感じ、見た目を損なうものであった。
【００１０】
本発明は、前記課題を解決するものであり、プレート組の枠体と固定金具の溶接を外観部以外のところで行なうことにより見た目を高め、かつ、コスト低減を図ることを目的とするものである。
【課題を解決するための手段】
【００１１】
本発明は上述の課題を解決するためになされたもので、請求項１では、底面、側面及び背面からなる本体の上面に容器を載置するプレートを備え、該プレートの下方に略水平に配置された複数の加熱装置を備えた加熱調理器において、前記プレートとその外周に組み込まれた金属製の枠体とで一体型のプレート組を構成し、前記枠体の下面水平部に金属製でネジ固定用の穴を具備した固定金具を溶接し、該固定金具に水平部と垂直部よりなる略Ｌ状の取付金具の水平部を固定ネジにより固定し、垂直部に本体を固定し、該本体とプレート組とを一体化したものである。
【００１２】
また、請求項２では、固定金具を枠体の下面水平部の内側面に溶接して本体をシステムキッチンに組み込んだ際、溶接部が隠れて見えないようにしたものである。
【００１３】
さらに、請求項３では、固定金具は、枠体の側面側に補強片を設け、固定金具を枠体７の下面水平部に溶接した際、補強片が枠体の側面内側に接触するようにしたものである。
【発明の効果】
【００１４】
本発明は、プレート組を構成する枠体の下面水平部に金属製でネジ固定用の穴を具備した固定金具を溶接し、該固定金具に本体を固定する取付金具を固定し、該本体とプレート組とを一体化し、固定金具の溶接箇所を外観部以外のところで行なうようにしたことにより、加熱調理器をシステムキッチンに組み込むと溶接痕が外観面から隠れて見えなくなり、見た目を損ねることがない。
【００１５】
また、固定金具に補強片を設けてその補強片と枠体の側面内側とを接触させているため、固定金具の強度も強くすることができ、これによって、さらにゆがみ等による外観面を損なうことがなくなる。
【００１６】
さらに、ステンレス製の枠体にしても溶接個所が見えないため、余分な磨き作業やシールなどによる目隠し部品を使用するころがなくなり、安価な構成にすることができる。
【発明を実施するための最良の形態】
【００１７】
以下、本発明の一実施例を図１、図２、図３に従って説明する。
【００１８】
前述したように、図１は従来例および本発明の加熱調理器の外観斜視図、図２は本発明の加熱調理器を下から見た斜視図、図３は同分解斜視図である。なお、図１については上記従来技術で説明した通りであり、再度の説明を省略する。
【００１９】
図２及び図３において、１は底面、側面及び背面からなる本体である。３はこの本体１の上面開口部に配置された耐熱絶縁ガラス等よりなるプレートで、その外周に組み込まれた略コ字状をなす金属製の枠体７とで一体型のプレート組８を構成している。
【００２０】
１５は固定金具で、一対あり、両端側に溶接部１５ａ、その中間にネジ固定用の穴１５ｂ、この穴１５ｂのある一側面側に斜め上向きの補強片１５ｃを夫々設けている。そして、この固定金具１５は、枠体７の前部側の左右角部において（図では右角部側のみ説明）、その下面水平部の内側面に両端側の溶接部１５ａを補強片１５ｃが枠体７の側面７ａの内側に接触するようにして溶接１８している。この固定金具１５の両端の溶接部１５ａを枠体７の側面７ａの内側に溶接１８するのは、その溶接部を外観部以外のところで行なうことにより溶接痕が外観面から隠れ、見た目を良くするためであり、また、溶接１８した際に補強片１５ｃが枠体７の側面内側に接触するようにするのは、プレート組８と固定金具１５との強度を充分に保つためである。
【００２１】
１６は取付金具で、略Ｌ状に形成されて水平部１６ａと垂直部１６ｂを備えており、さらに水平部１６ａは枠体７の角部に合致するように略四角形に形成されて固定金具１５のネジ固定用の穴１５ｂと合致する部分にねじ固定用の穴１６ｃを設けている。
【００２２】
そして、この取付金具１６は、固定金具１５の下面でそのネジ固定用の穴１６ｃを固定金具１５のネジ固定用の穴１５ｂに合致させて固定ネジ１７により固定金具１５に固定される。
【００２３】
また、この取付金具１６の垂直部１６ｂには本体１の側面１ａが固定され、これによって本体１とプレート組８とは一体化される。
【００２４】
この一体化された本体１とプレート組８とは、図１に示すようにシステムキッチン１３内にその上面から落とし込まれ、プレート組８の枠体７部がシステムキッチン１３の天板の上に乗って所定の位置に設置される。
【００２５】
本発明は、上記したように、プレート３の外周に組み込まれた金属製の枠体７の下面水平部に金属製でネジ固定用の穴１５ｂを具備した固定金具１５を溶接１８し、該固定金具１５に水平部１６ａと垂直部１６ｂよりなる略Ｌ状の取付金具１６の水平部１６ａを固定ネジ１７により固定し、垂直部１６ｂに本体１の側面１ａを固定し、該本体１とプレート組８とを一体化したので、固定金具１５の溶接箇所を外観部以外のところで行なうことができ、加熱調理器をシステムキッチン１３に組み込んだ際にはその溶接痕が外部から隠れて見えなくなり、見た目を損ねることがない。
【００２６】
また、固定金具１５を枠体７の下面水平部の内側面に溶接１８して本体１をシステムキッチン１３に組み込んだ際、溶接１８部が隠れて見えないようにし、さらに、固定金具１５の枠体７の側面７ａ側に補強片１５ｃを設け、固定金具１５を枠体７の下面水平部に溶接１８した際に補強片１５ｃが枠体７の側面７ａの内側に接触するようにしたので、固定金具１５の溶接痕が外観面から見えないほか、補強片１５ｃが枠体７の側面７ａの内側と接触しているため、強度も強くなり、これによって、外観面を損なうことがなくなる。
【００２７】
さらに、ステンレス製の枠体７にしても溶接個所が見えないため、余分な磨き作業やシールなどによる目隠し部品を使用するころがないため、安価に構成することができる。
【図面の簡単な説明】
【００２８】
【図１】従来例および本発明の一実施例の加熱調理器の外観斜視図である。
【図２】本発明の加熱調理器を下から見た斜視図である。
【図３】同分解斜視図である。
【図４】図４は従来の加熱調理器の縦断面図である。
【図５】同下から見た分解斜視図である。
【符号の説明】
【００２９】
１    本体
３    プレート
６    加熱装置
８    プレート組
１５    固定金具
１５ａ  溶接部
１５ｂ  穴
１５ｃ  補強片
１６    取付金具
１６ａ  水平部
１６ｂ  垂直部
１６ｃ  穴
１７    固定ネジ
【図１】
2005076897.tif 000003
【図２】
2005076897.tif 000004
【図３】
2005076897.tif 000005
【図４】
2005076897.tif 000006
【図５】
2005076897.tif 000007